(57)【要約】【課題】  ロック機構を備える折り畳み式椅子を提供する。【解決手段】  前脚２と後脚４が回動可能な折り畳み可能で、後脚４に取り付けた支持棒８を介して座部体３が取付けてあり、支持棒８に係止爪１５が取付けてある。また、係止爪１５に係止可能な係止溝２３は、座部体３の裏面に取り付けてある往復動可能な係止体１８の裏面に設けてある。【選択図】  図１
2006305288.tif 000002
【特許請求の範囲】
【請求項１】
前脚２と後脚４が回動可能な折り畳み可能な椅子であって、
前記後脚４に取り付けた支持棒８を介して座部体３を取付け、
前記支持棒８に係止爪１５を取付け、
前記係止爪１５に係止可能な係止溝２３を形成の往復動可能な係止体を前記座部体３の裏面に設けることを特徴とする椅子。
【請求項２】
両端部を固定回動軸１１ａと支持回動軸９ａに回動可能に連結体１０を取付け、前記連結体１０の下縁に突起を形成し、前記前脚２の回動で、固定回動軸１１ａに回転モーメントが生ずるように支持体９ｃに当接して、前記支持棒８の取付け位置を規制することを特徴とする請求項１の椅子。
【発明の詳細な説明】
【技術分野】
【０００１】  本発明は、椅子に関し、より詳細にはロック機構付きの折り畳み椅子に関する。
【背景技術】
【０００２】  従来、折り畳み椅子は、図７に示すように良く知られていて、逆Ｕ状の前脚５０とその前脚５０のほぼ中央から後脚５２が、連結体５３を介して、傾斜状に取り付けてある。
又、前記連結体５３は、前脚５０と後脚５２の取付け箇所で、各々回動可能になっている。そして、座部体５５は、前記前脚５０と後脚５２に、各々、回動軸を介して回動可能に取り付けてある。
従って、前脚５０と後脚５２を開脚すると、座部体５５は水平状になって座ることができ、前脚５０と後脚５２をほぼ重なるように折り畳むと、座部体５５は前脚５０と後脚５２の間に挿入された状態となり、ほぼ一直線状に折り畳まれる。
尚、前記折り畳み椅子の構造は、良く知られたものであるため文献を列挙しない。
【発明の開示】
【発明が解決しようとする課題】
【０００３】  前記折り畳み椅子は、会議室等に多く使用されていて、大人が使用することが多い。
しかし、従来の椅子には、折り畳み式椅子がなく、持ち運びに不自由である。また、従来のような構造の折り畳み式にすると、赤子が座部体の上に座っていればよいが、座部体の上に立って、特に、端部に自重を掛けることがあると、座部体が回動して危険である。
そこで、本願発明は、座部体がロック機構を介して、ロックとアンロック状態に簡便にすることができる椅子を提供する。
【課題を解決するための手段】
【０００４】  請求項１の発明は、前脚２と後脚４が回動可能な折り畳み可能な椅子である。そして、後脚４に取り付けた支持棒８を介して座部体３が取付けてあり、支持棒８に係止爪１５が取付けてある。
また、係止爪１５に係止可能な係止溝２３は、座部体３の裏面に取り付けてある往復動可能な係止体１８の裏面に設けてある。
この椅子を折り畳むときには、係止爪１５を係止溝２３から離脱し、前脚２と後脚４（座部体３）を折り重なるように回動する。一方、椅子を使用状態にするときには、前脚２と後脚４（座部体３）を開脚するように回動させると、係止爪１５は係止溝２３に係止してロック状態になる。
従って、前脚２（支持棒８）と座部体３（後脚４）は一体になり、座部体３だけが回動することなく安全である。【０００５】  又、請求項２の発明は、連結体１０の両端部を固定回動軸１１ａと支持回動軸９ａに回動可能に取付ける。そして、この連結体１０の下縁に突起１３を形成する。又、この突起１３は連結体１０の回動によって支持体９ｃに当接して支持固定部材９の回動角度を規制するものである。
この突起によって、座部体と前脚を開脚するに当たって、固定回動軸１１ａに回動モーメントが発生して開脚できる。
【発明の効果】
【０００６】  本願の請求項１の椅子は、折り畳み状態と使用状態にすることができ、使用状態のときにはロックされて、前脚（支持棒）と座部体（後脚）は一体になり、座部体だけが回動することなく安全である。
請求項２の椅子は、突起によって、前脚と座部体とで開脚を可能にする。
【発明を実施するための最良の形態】
【０００７】  本願発明の一実施の形態を図面を参照して説明する。図１（Ａ）は椅子（例としてベビー椅子）１の全体図、図１（Ｂ）は折り畳んだ状態のベビー椅子、図２は使用状態の裏面図、図３（Ａ）は連結の平面図、図３（Ｂ）は正面図、図４はロック機構の作用図、図５は連結体の作用図である。
前脚２、２は、パイプを逆Ｕ字状に折り曲げて作成してあり、前脚２と前脚２の間に、座部体３を支持する支持棒８が横設してある。又、後脚４、４は、前記前脚２、前脚２を支持する状態（前脚２と後脚４とで鋭角）で、前脚２、２に、取り付け部材５の回動軸５ａを介して回動可能に取り付けてある。
又、後脚４と後脚４の間には、座部体３を取付けの取付体２０が横設してあり、Ｕ字状の固定金具２１で取り付けてある。【０００８】  又、座部体３の裏面には、連結体１０が取り付けてあり、この連結体１０の端部は、座部体３の裏面に固定の裏面固定部材１１の固定回動軸１１ａを介して回動可能である。又、連結体１０の他端部は、支持固定部材９に設けてある支持回動軸９ａに回動可能に取り付けてある。尚、この支持固定部材９は、前記支持棒８を嵌合可能なＵ字状の装着部９ｂを備え、その装着部９ｂから一対の支持体９ｃが形成してあり、この支持体９ｃに前記支持回動軸９ａが形成してある。
尚、前記連結体１０の他端部の下縁には、この連結体１０の回動によって、支持体９ｃに当接可能に、後記で詳述する突起１３が形成してあり、支持固定部材９の反時計方向への回動を規制する。【０００９】  次に、ロック機構について説明すると、係止爪１５には前記支持棒８に嵌合可能な断面半円状の嵌合部が形成してあり、係止爪１５は前記嵌合部が支持棒８に嵌合して取り付けてある。
一方、前記座部体３の裏面には係止体１８を内挿の係止箱２５が取り付けてある。尚、この係止体１８の取付け位置は、このベビー椅子を使用するに当たって、前脚２と後脚４を開状態にしたとき、係止爪１５が後述の係止溝２３に係合可能な位置である。
前記係止体１８は、係止箱２５内で往復動可能である。又、この係止体１８の端部は押釦部１８ａであり、この押釦部１８ａは係止爪１５に対して下方にスライド可能な傾斜面１８ｃが形成してある。又、押釦部１８ａは内挿のバネ１９で、常時、ストップ体２２に当接状態に付勢され、押釦部１８ａの下側には係止溝２３が形成してある。【００１０】  次に、前記構成の椅子の作用について説明する。先ず、椅子の使用状態から折り畳み状態にすることについて説明する。
椅子の使用状態の裏面状態は図２に示す状態であり、係止爪１５は図４（Ａ）に示すようにロック状態であり、連結体１０は図５（Ａ）に示す状態である。
そこで、先ず、係止爪１５をアンロックにするために、押釦部１８ａを押圧すると、バネ１９が縮んで係止体１８が移動し、係止爪１５が係止溝２３から離脱可能になる。そして、前脚２と後脚４を重ねるように回動すると、係止爪１５は支持棒８と共に回動する（図４（Ｂ）参照）。【００１１】  又、同時に、支持棒８に固定の連結体１０も、固定回動軸１１ａ及び支持回動軸９ａを介して回動する（図５（Ｂ）参照）。
そして、前記前脚２と後脚４を重ねるように回動が終了すると、支持棒８と取付体２０はほぼ重なる位置になり、折り畳み状態になる（図１（Ｂ）、図４（Ｃ）、図５（Ｃ））。
このように、折り畳んだ状態のベビー椅子は、ほぼ平面状になり、持ち運びが容易であると共に、積み重ねが可能であり、運送時の占める容積が小さくなりコスト軽減を図ることができる。【００１２】  次に、図１（Ｂ）における折り畳み状態の椅子を使用状態にするときにおける課題について説明する。
ベビー椅子を使用状態にするときには、前脚２と座部体３をもって開脚すると、連結体１０（前脚２）は固定回動軸１１ａで回動し、この連結体１０の回動によって、支持棒８に固定の係止爪１５も回動する。
そして、係止爪１５は押釦部１８ａを押圧しながら下方に移動すると、係止体１８が押圧されてバネ１９が縮み、係止爪１５は係止溝２３に挿入され、ロック状態になり、座れる状態になる（図１（Ａ）、図４（Ａ）、図５（Ａ））。【００１３】  尚、前記ベビー椅子を折り畳み状態から使用状態にするとき、前脚２と座部体３をもって開脚するが、回脚できない状態が起こる。
この状態になるのは、図６（Ｂ）に示すように、支持固定部材９が支持回動軸９ａを中心に回動して、座部体３側に傾動した状態のときであり、この主因は前脚２と前脚２に横設する支持棒８の取付け位置による。即ち、この支持棒８の取付け位置は所定位置に溶接で取り付けるが、この支持棒８と連結体１０（支持固定部材９の支持回動軸９ａ）の取付け位置に誤差が生ずる。
そのために、この図６（Ｂ）に示す折り畳み状態において、前脚２と座部体３をもって開脚すると、前脚２は、本来、固定回動軸１１ａで回動しなければならないが、座部体３側に傾動した状態（僅かな角度）のときには、前脚２の回動操作は固定回動軸１１ａで回動可能なモーメントを与えることができない。従って、折り畳んだ状態のベビー椅子を使用状態にすることができない。【００１４】  そこで、本発明では、係る不都合を解消するために、支持固定部材９の支持回動軸９ａに対する支持棒８の位置の誤差を吸収するために、取付け位置を規制してもよいが、本例では回動角度を規制するために、前記連結体１０の他端部の下縁に突起１３を形成してある。
即ち、この突起１３は、支持回動軸９ａで自由回動する支持固定部材９に対し、支持体９ｃに当接して、図４における反時計方向の角度を規制している。この支持固定部材９（指示棒８）の回動規制は、前脚２の固定回動軸１１ａに対する位置規制となり、前脚２を回動すると、固定回動軸１１ａで回動モーメントが生ずるようになっているので、開脚して使用状態にすることができる。
尚、支持固定部材９の支持回動軸９ａを中心に時計方向への回動に対しては、前脚２は固定回動軸１１ａを中心で回動可能なモーメントを生ずるので、規制する必要はない。又、本発明はベビー椅子に限定せず、一般の椅子にも適用できる。
【図面の簡単な説明】
【００１５】
【図１】  （Ａ）は折り畳み椅子の使用状態の斜視図、（Ｂ）は折り畳んだ状態のベビー椅子の斜視図である。
【図２】  ベビー椅子の裏面図である。
【図３】  （Ａ）は連結体の平面図、（Ｂ）は連結体の正面図である。
【図４】  （Ａ）〜（Ｃ）は、使用状態〜折り畳み状態における係止爪と係止溝の作用図である。
【図５】  （Ａ）〜（Ｃ）は、使用状態〜折り畳み状態における連結体の作用図である。
【図６】  （Ａ）は連結体における突起の作用図、（Ｂ）は連結体における突起がないときの作用図である。
【図７】  従来のベビー椅子の正面図である。
【符号の説明】
【００１６】  ２  前脚
３  座部体
４  後脚
８  支持棒
９ａ  支持回動軸
９ｃ  支持体
１０  連結体
１１ａ  固定回動軸
１５  係止爪
２３  係止溝
【図１】
2006305288.tif 000003
【図２】
2006305288.tif 000004
【図３】
2006305288.tif 000005
【図４】
2006305288.tif 000006
【図５】
2006305288.tif 000007
【図６】
2006305288.tif 000008
【図７】
2006305288.tif 000009